(57)【特許請求の範囲】
【請求項１】
シャンプー、リンス、ボディーソープなどの詰替え容器に、詰替え用の液体が入ったパウチから詰替え用の液体を補充する際に使用する漏斗であって、
該漏斗は、詰替液を通過させるための落下口をその下部に設けた、パウチを挿入するためのパウチ受けと、
パウチ受けの下方に連結したポンプ覆い部と、そのポンプ覆い部の下方に設けたボトル挿入部と、からなるポンプ覆いと、
ポンプ覆い部の内部に設けた、詰替え容器のキャップ、ポンプ首部、ポンプヘッドを挿入するためのポンプ受部と、
ポンプ受部に連結し、ボトル挿入部の内部に設けた、詰替え容器のチューブを挿入するためのチューブ受部と、からなり、
ポンプ覆いの内壁と、ポンプ受部とチューブ受部の外壁との間に形成される空間を詰替液を落下させるための落下溝とし、パウチ受けの落下口に連結して、
ポンプ覆い、ポンプ受部、チューブ受部の側面は、詰替え容器のキャップ、ポンプ首部、ポンプヘッド、チューブを挿入するために開口して、
詰替え容器に詰替え用の液体を補充する際に、
パウチ受けに挿入したパウチの詰替液はパウチ受けの落下口から落下溝を介して詰替え容器に補充できるようにし、
ポンプ受部に挿入した詰替え容器のキャップ、ポンプ首部、ポンプヘッドや、チューブ受部に挿入した詰替え容器のチューブに詰替液がかからないようにしたこと特徴とする漏斗。
【請求項２】
ボトル挿入部の外壁にはその外壁に沿わせて液体戻り補助部を設け、液体戻り補助部には液体戻り補助部側の液体戻り口を設け、パウチ受けの壁にはパウチ受け側の液体戻り口を設け、液体戻り補助部側の液体戻り口とパウチ受け側の液体戻り口の間には液体戻り溝を設けて、詰替え容器に詰替え用の液体を補充した後に、ボトル挿入部の外回りに付着した詰替液を液体戻り補助部により液体戻り溝を介してパウチ受けに回収できるようにしたことを特徴とする請求項１に記載の漏斗。
【請求項３】
パウチ受けには、その上部に液体受壁で構成された液体受溝を設けたことを特徴とする請求項１または請求項２に記載の漏斗。
【請求項４】
シャンプー、リンス、ボディーソープなどの詰替え容器に、詰替え用の液体が入ったパウチから詰替え用の液体を補充する際に使用する漏斗であって、
該漏斗は、本体と、
その本体内には、上方に詰替液を通過させるための挿入口を下部に設けた、パウチを挿入するためのパウチ受けを備えた、詰替液を通過させるための落下口を下部に設けた、パウチの詰替液を補充する構成を施した液体受と、
その液体受の下方に連結したポンプ覆い部と、そのポンプ覆い部の下方に設けたボトル挿入部と、からなるポンプ覆いと、
ポンプ覆い部の内部に設けた、詰替え容器のキャップ、ポンプ首部、ポンプヘッドを挿入するためのポンプ受部と、
ポンプ受部に連結し、ボトル挿入部の内部に設けた、詰替え容器のチューブを挿入するためのチューブ受部と、
からなる補充用の構成と詰替え容器を入れる空間とを設け、
ポンプ覆いの内壁と、ポンプ受部とチューブ受部の外壁との間に形成される空間を詰替液を落下させるための落下溝とし、落下口に連結して、
ポンプ覆い、ポンプ受部、チューブ受部の側面は、詰替え容器のキャップ、ポンプ首部、ポンプヘッド、チューブを挿入するために開口して、
詰替え容器に詰替え用の液体を補充する際に、
パウチ受けに挿入したパウチの詰替液はパウチ受けの挿入口から液体受を通過して、液体受の落下口から、落下溝を介して詰替え容器に補充できるようにし、
ポンプ受部に挿入した詰替え容器のキャップ、ポンプ首部、ポンプヘッドや、チューブ受部に挿入した詰替え容器のチューブに詰替液がかからないようにしたこと特徴とする漏斗。
【請求項５】
請求項４に記載の補充用の構成を本体内に複数設けたことを特徴とする請求項４に記載の漏斗。
【発明の詳細な説明】
【技術分野】
【０００１】
本発明はシャンプー、リンス、ボディーソープなどを詰替える時に使用する漏斗に関するものである。
【背景技術】
【０００２】
これまで詰替え用のシャンプー、リンス、ボディーソープなどは、ポンプ式容器上部のポンプ挿入口からポンプを引き抜いて、詰替え用のシャンプー、リンス、ボディーソープなどの注ぎ口をポンプ挿入口に接触させて詰替えをしたり、例えば特許文献１の特開２０１０−１６３１９５公報、特許文献２の特開２００９−０４０５０１公報、特許文献３の実登３１２０１４９公報および特許文献４の実登３１０４３２６公報に記載されている漏斗は、ポンプ式の容器のポンプ挿入口からポンプを引き抜いて、漏斗の下部をポンプ挿入口に挿入して詰替え用のシャンプー、リンス、ボディーソープなどの注ぎ口を漏斗の下部に向け設置して詰替えをする構成が考案されている。
【０００３】
このような漏斗では漏斗を容器のポンプ挿入口に挿入するために容器から引き抜いたポンプや、詰替えた後に容器のポンプ挿入口から引き抜いた漏斗から落下するシャンプー、リンス、ボディーソープなどの液体が浴室の床に落下して床を汚してしまう。それらを解決するために特許文献５の特開２００８−１８４２２４公報、特許文献６の特開２００２−１７９０９９公報は容器部分の使用済みのパウチを取り出し詰替え用のシャンプー、リンス、ボディーソープなどのパウチと入替え、入替えたパウチに直接ポンプを挿入して詰替えをすることなくシャンプー、リンス、ボディーソープなどを使用できる構成が考案されている。
【先行技術文献】
【特許文献】
【０００４】
【特許文献１】特開２０１０−１６３１９５公報
【特許文献２】特開２００９−０４０５０１公報
【特許文献３】実登３１２０１４９公報
【特許文献４】実登３１０４３２６公報
【特許文献５】特開２００８−１８４２２４公報
【特許文献６】特開２００２−１７９０９９公報
【発明の概要】
【発明が解決しようとする課題】
【０００５】
この特許文献１の特開２０１０−１６３１９５公報、特許文献２の特開２００９−０４０５０１公報、特許文献３の実登３１２０１４９公報および特許文献４の実登３１０４３２６公報の漏斗では、漏斗を容器のポンプ挿入口に挿入するために容器から引き抜いたポンプや、詰替えた後に容器のポンプ挿入口から引き抜いた漏斗に付着したシャンプー、リンス、ボディーソープなどが浴室の床に落下するので床を洗わなければならない。また、容器から引き抜いたポンプを衛生的に維持するために置く場所を考慮しなければならない。
【０００６】
また、特許文献５の特開２００８−１８４２２４公報、特許文献６の特開２００２−１７９０９９公報は容器とポンプがセットになった容器の容器部分から使用済みのパウチを取り外して詰替え用のシャンプー、リンス、ボディーソープなどのパウチを容器部分に入替えて、入替えた詰替え用のパウチに直接ポンプを挿入して詰替えをすることなく詰替え用のシャンプー、リンス、ボディーソープなどを使用できる構成が考案されているが容器の構造が複雑で容器にセットするのに手間がかかるし詰替え用のシャンプー、リンス、ボディーソープが限定される。
【課題を解決するための手段】
【０００７】そこで、このような課題を解決するために本発明の漏斗は、シャンプー、リンス、ボディーソープなどの詰替え容器に、詰替え用の液体が入ったパウチから詰替え用の液体を補充する際に使用する漏斗であって、該漏斗は、詰替液を通過させるための落下口をその下部に設けた、パウチを挿入するためのパウチ受けと、パウチ受けの下方に連結したポンプ覆い部と、そのポンプ覆い部の下方に設けたボトル挿入部と、からなるポンプ覆いと、ポンプ覆い部の内部に設けた、詰替え容器のキャップ、ポンプ首部、ポンプヘッドを挿入するためのポンプ受部と、ポンプ受部に連結し、ボトル挿入部の内部に設けた、詰替え容器のチューブを挿入するためのチューブ受部と、からなり、ポンプ覆いの内壁と、ポンプ受部とチューブ受部の外壁との間に形成される空間を詰替液を落下させるための落下溝とし、パウチ受けの落下口に連結して、ポンプ覆い、ポンプ受部、チューブ受部の側面は、詰替え容器のキャップ、ポンプ首部、ポンプヘッド、チューブを挿入するために開口して、詰替え容器に詰替え用の液体を補充する際に、パウチ受けに挿入したパウチの詰替液はパウチ受けの落下口から落下溝を介して詰替え容器に補充できるようにし、ポンプ受部に挿入した詰替え容器のキャップ、ポンプ首部、ポンプヘッドや、チューブ受部に挿入した詰替え容器のチューブに詰替液がかからないようにしたこと特徴とする。【０００８】ボトル挿入部の外壁にはその外壁に沿わせて液体戻り補助部を設け、液体戻り補助部には液体戻り補助部側の液体戻り口を設け、パウチ受けの壁にはパウチ受け側の液体戻り口を設け、液体戻り補助部側の液体戻り口とパウチ受け側の液体戻り口の間には液体戻り溝を設けて、パウチ受けには、その上部に液体受壁で構成された液体受溝を設けて、詰替え容器に詰替え用の液体を補充した後に、ボトル挿入部の外回りに付着した詰替液を液体戻り補助部により液体戻り溝を介してパウチ受けに回収できるようにしたことを特徴とする。【０００９】  シャンプー、リンス、ボディーソープなどの詰替え容器に、詰替え用の液体が入ったパウチから詰替え用の液体を補充する際に使用する漏斗であって、該漏斗は、本体と、その本体内には、上方に詰替液を通過させるための挿入口を下部に設けた、パウチを挿入するためのパウチ受けを備えた、詰替液を通過させるための落下口を下部に設けた、パウチの詰替液を補充する構成を施した液体受と、その液体受の下方に連結したポンプ覆い部と、そのポンプ覆い部の下方に設けたボトル挿入部と、からなるポンプ覆いと、ポンプ覆い部の内部に設けた、詰替え容器のキャップ、ポンプ首部、ポンプヘッドを挿入するためのポンプ受部と、ポンプ受部に連結し、ボトル挿入部の内部に設けた、詰替え容器のチューブを挿入するためのチューブ受部と、からなる補充用の構成と詰替え容器を入れる空間とを設け、ポンプ覆いの内壁と、ポンプ受部とチューブ受部の外壁との間に形成される空間を詰替液を落下させるための落下溝とし、落下口に連結して、ポンプ覆い、ポンプ受部、チューブ受部の側面は、詰替え容器のキャップ、ポンプ首部、ポンプヘッド、チューブを挿入するために開口して、詰替え容器に詰替え用の液体を補充する際に、パウチ受���に挿入したパウチの詰替液はパウチ受けの挿入口から液体受を通過して、液体受の落下口から、落下溝を介して詰替え容器に補充できるようにし、ポンプ受部に挿入した詰替え容器のキャップ、ポンプ首部、ポンプヘッドや、チューブ受部に挿入した詰替え容器のチューブに詰替液がかからないようにしたこと特徴とする。【００１０】請求項４に記載の補充用の構成を本体内に複数設けたことを特徴とする。
【発明の効果】
【００１１】
本発明の漏斗は詰替え用のシャンプー、リンス、ボディーソープなどの液体を容器に注入するために容器からポンプを引き抜くことが無いから詰め替え用のシャンプー、リンス、ボディーソープなどの浴室の床への落下を防止することができる。また、容器からポンプを引き抜かないので衛生的でポンプを置く場所にも困らない。
【００１２】
また、漏斗上部に液体受溝を設けた構造により、詰替えた後に容器のポンプ挿入口から引き抜いた漏斗から詰替え用のシャンプー、リンス、ボディーソープなどの浴室の床への落下を防止することができる。そして漏斗に残留した詰替え用のシャンプー、リンス、ボディーソープなどの液体が液体受溝に収集するので乾燥していなければ再び漏斗を通過してポンプ式容器に注入できる。
【００１３】
そして、複雑な構造ではないので簡単に詰替え用のシャンプー、リンス、ボディーソープなどの液体の詰替えができる。
【００１４】
充填する装置を付加することにより手間が省ける。
【図面の簡単な説明】
【００１５】
【図１】本発明の漏斗１の使用時の図面。
【図２】漏斗１の正面図。
【図３】漏斗１の側面図。
【図４】漏斗１の拡大断面図。
【図５】漏斗１のポンプ覆い５の拡大斜視図。
【図６】本発明の実施例の図面。
【図７】実施例の上部の拡大図面。
【図８】実施例の下部の拡大図面。
【図９】実施例の補充装置の構造の図面。
【図１０】実施例のポンプ覆い１５の拡大斜視図。
【発明を実施するための形態】
【００１６】
以下本発明にかかる漏斗について図１から図１０に基づいて説明する。
【００１７】
本発明の漏斗１は図１から図５に図示されているようにパウチ受け８とポンプ覆い５とで構成されている。パウチ受け８には液体戻り溝３−ｂ、落下口７、液体受溝９−ｂが設けられている。パウチ受け８の上部には詰替えが終了して詰替え容器Ｂから漏斗１を取り外して上下に反転させたときに漏斗１に残った液体を収集させるための液体受壁９−ａで構成された液体受溝９−ｂが設けられ、液体受溝９−ｂの下方のパウチ受け８の側面に液体戻り口３−ｃを備えた液体戻り溝３−ｂが設けられポンプ覆い５に設けた液体戻り溝３−ｂに連結され、パウチ受け８の下部には詰替え用のパウチＡの切り口から噴出した液体をポンプ覆い５の落下溝６−ａに落下させるための落下口７が設けられている。
【００１８】
ポンプ覆い５には ボトル挿入部２−ａ、チューブ受部２−ｂ、液体戻り補助部３−ａ、液体戻り溝３−ｂ、液体戻り口３−ｃ 、ポンプ係止部４、ポンプ覆い部５−ａ、ポンプ受部５−ｂ、落下溝６−ａ、落下溝６−ｂ、液体落下防止壁６−ｃが設けられている。ポンプ覆い５は上部に液体落下防止壁６−ｃで構成された落下溝６−ａを設け中部にポンプを収納する空間のポンプ受部５−ｂを備えたポンプ覆い部５−ａを設けポンプ覆い部５−ａには落下溝６−ｂを設け下部にチューブを収納する空間のチューブ受部２−ｂを備えたボトル挿入部２−ａを設けボトル挿入部２−ａには落下溝６−ｂを設け、パウチ受け８とポンプ覆い５を連結してパウチ受け８に設けた落下口７とポンプ覆い５に設けた落下溝６−ａ、落下溝６−ｂを連結している。そして、ポンプ覆い５のボトル挿入部２−ａの上部の外側に液体戻り補助部３−ａが設けられボトル挿入部２−ａと液体戻り補助部３−ａの間にボトル口元部Ｂ−２を固定して漏斗１を安定させる構成とした。また、ボトル挿入部２−ａと液体戻り補助部３−ａの間の中央部に液体戻り口３−ｃを備えた液体戻り溝３−ｂを設けている。漏斗１は詰め替え容器Ｂのポンプを引き上げポンプ受部５−ｂにキャップＢ−６、ポンプ首部Ｂ−７、ポンプヘッドＢ−８を収納しチューブ受部２−ｂにチューブＢ−４を収納してポンプ係止部４にポンプのキャップＢ−６を係止させてボトル挿入部２−ａをボトルＢ−１に挿入しパウチ受け８に切り口を開けた詰替え用のパウチＡを切り口を下にして挿入することによりパウチ受け８の落下口７から落下溝６−ａ、落下溝６−ｂを通過した詰替え用の液体がボトルＢ−１に注入できるよう構成されている。また、注入が終了しポンプを取り外した漏斗１を上下に反転させるとボトル挿入部２−ａの外側に付着した液体が液体戻り口３−ｃを介して液体戻り溝３−ｂを通過して液体受溝９−ｂに収集され、ポンプ覆い５の落下溝６−ｂ、落下溝６−ａに残留した液体がパウチ受けの落下口７を通過して液体受溝９−ｂに収集できるように構成されている。
【実施例】
【００１９】
つぎに実施例について図６から図１０を用いて説明する。実施例の漏斗１１は取っ手部１８−ａ、パウチ受け１８−ｂ、本体１８−ｃ、液体受１９−ａ、ポンプ覆い１５とで構成されている。漏斗１１は本体１８−ｃの上部に持ち運ぶときに便利に使用するために取っ手部１８−ａを設け底面から詰替え容器Ｂを入れる空間を設け、その上方にパウチ受け１８−ｂ、液体受１９−ａ、ポンプ覆い１５が設けられている。パウチ受け１８−ｂは底面に傾斜を施し先端に挿入口１８−ｄを設けて液体がパウチ受け１８−ｂの下方に設けた液体受１９−ａに落下しやすい構成にされている。液体受１９−ａは内外部に部品１９−ｂ、部品１９−ｃ、部品１９−ｄ、部品１９−ｅ、部品１９−ｆ、部品１９−ｇ１、 部品１９−ｇ２、 部品１９−ｈ、部品１９−ｉ、部品１９−ｊ、 部品１９−ｋ、 部品１９−ｌ、 部品１９−m、部品１９−ｎ、部品１９−ｏを施し操作すると液体受１９−ａの下部に設けた落下口１７が開きポンプ覆い１５の落下溝１６−ａに落下するように構成されている。
【００２０】
ポンプ覆い１５にはボトル挿入部１２−ａ、チューブ受部１２−ｂ、ボトル固定補助部１３−ａ、ボトル固定補助部１３−ｂ、ポンプ係止部１４、ポンプ覆い部１５−ａ、ポンプ受部１５−ｂ、落下溝１６−ａ 、落下溝１６−ｂ、液体落下防止壁１６−ｃが設けられている。ポンプ覆い１５は上部に液体落下防止壁１６−ｃで構成された落下溝１６−ａを設け中部にポンプを収納する空間のポンプ受部１５−ｂを備えたポンプ覆い部１５−ａを設けポンプ覆い部１５−ａには落下溝１６−ｂを設け下部にチューブを収納する空間のチューブ受部１２−ｂを備えたボトル挿入部１２−ａを設けボトル挿入部１２−ａには落下溝１６−ｂを設けて、パウチ受け１８−ｂ、液体受１９−ａ、ポンプ覆い１５を連結して液体受１９−ａに設けた落下口１７とポンプ覆い１５に設けた落下溝１６−ａ、落下溝１６−ｂを連結している。そして、ポンプ覆い１５の ボトル挿入部１２−ａの上部の外側にボトル固定補助部１３−ａ、ボトル固定補助部１３−ｂが設けられボトル挿入部１２−ａとボトル固定補助部１３−ａ、ボトル固定補助部１３−ｂの間にボトル口元部Ｂ−２を固定して漏斗１１を安定させる構成とした。漏斗１１は詰替え容器Ｂのポンプを引き上げポンプ受部１５−ｂにキャップＢ−６、ポンプ首部Ｂ−７、ポンプヘッドＢ−８を収納してチューブ受部１２−ｂにチューブＢ−４を収納してポンプ係止部１４にポンプのキャップＢ−６を係止させてボトル挿入部１２−ａをボトルＢ−１に挿入しパウチ受け１８に切り口を開けた詰替え用のパウチＡを切り口を下にして挿入することにより詰替え用の液体がパウチ受け１８の挿入口１８−ｄから液体受１９−ａに滞留して装置を操作すれば液体受１９−ａの落下口１７が開きポンプ覆い１５の落下溝１６−ａ、落下溝１６−ｂを通過してボトルＢ−１に注入できるように構成されている。実施例の液体受１９−ａの内外部の構成、操作方法は水洗トイレのタンク構造を用いたが簡単操作で充填ができて特定または任意の位置で液体の充填が停止する構成であればよく特に限定するものではない。
【００２１】
漏斗１の形状、大きさは、切り口を開けたパウチＡを安定して挿入できて容易に取り外しすることができ、漏斗１を詰替え容器Ｂのポンプから容易に着脱でき詰替え容器Ｂに安定して装着でき容易に着脱でき液体を滞りなく詰替え容器Ｂに注入することがでる形状であればよく特に限定するものではない。
【００２２】
漏斗１１の形状、大きさは、持ち運びが便利で、切り口を開けたパウチＡを安定して挿入できて容易に取り外しすることができ、漏斗１１を詰替え容器Ｂのポンプから容易に着脱でき詰替え容器Ｂに安定して装着でき容易に着脱でき液体を滞りなく詰替え容器Ｂに注入することができて、詰替え容器Ｂに注入後の漏斗１１に残った液体が直接床に落下しない形状であればよく特に限定するものではない。また、連結されたパウチ受け１８−ｂ、ポンプ覆い１５、液体受１９−ａや本体１８−ｃの底面の高さ調整をすることができる構成でも特に限定するものではない。そして、漏斗１１はパウチ受け１８−ｂ、ポンプ覆い１５、液体受１９−ａからなる１体を１個または複数個を連結して使用できる構成であるが連結の構成は特に限定するものではない。
【００２３】
漏斗１、漏斗１１の素材においては、プラスチック、アルミなどの軽量で繰り返し使用ができ強度があり腐食しにくいものが理想であるが、場合によってはゴム、紙など特に限定するものではない。
【００２４】
液体戻り補助部３−ａの構成は、ボトルＢ−１に漏斗１が簡単に着脱でき安定して固定できて、ボトル挿入部２−ａの外側に付着した液体が液体戻り口３−ｃに集結される構成であればよく特に限定するものではない。
【００２５】
ボトル固定補助部１３−ａ、ボトル固定補助部１３−ｂの構成は、ボトルＢ−１に漏斗１１が簡単に着脱でき安定して固定できる構成であればよく特に限定するものではない。
【００２６】
液体受壁９−ａ、液体受溝９−ｂの構成は、詰替えが終了して詰替え容器Ｂから漏斗１を取り外して上下に反転させたときに漏斗１に残った液体を留置させる構成であればよく特に限定するものではない。
【００２７】
液体戻り溝３−ｂ、液体戻り口３−ｃの構成は詰替えが終了して詰替え容器Ｂから漏斗１を取り外して上下に反転させた時にボトル挿入部２−ａの外側に付着した液体が液体受溝９−ｂに滞りなく収集される構成であればよく特に限定するものではない。
【００２８】
落下溝６−ａ、落下溝６−ｂ、液体落下防止壁６−ｃ、落下口７の構成は、液体がポンプ受部５−ｂに落下することなくパウチ受け８から詰替え容器Ｂに滞りなく注入でき、注入が終了し取り外した漏斗１を上下に反転させた時にポンプ覆い５の落下溝６−ａ、落下溝６−ｂに残留した液体が液体受溝９−ｂに滞りなく収集される構成であればよく特に限定するものではない。  
【００２９】
落下溝１６−ａ、落下溝１６−ｂ 、液体落下防止壁１６−ｃ、 落下口１７の構成は、 液体がポンプ受部１５−ｂに落下することなくパウチ受け１８−ｂから液体受１９−ａ、ポンプ覆い１５を通過して詰替え容器Ｂに滞りなく注入できる構成であればよく特に限定するものではない。        
【符号の説明】
【００３０】
１           漏斗          
２−ａ      ボトル挿入部
２−ｂ      チューブ受部
３−ａ      液体戻り補助部
３−ｂ      液体戻り溝
３−ｃ      液体戻り口
４           ポンプ係止部
５           ポンプ覆い           
５−ａ      ポンプ覆い部
５−ｂ      ポンプ受部
６−ａ      落下溝
６−ｂ      落下溝
６−ｃ      液体落下防止壁
７           落下口        
８           パウチ受け
９−ａ      液体受壁
９−ｂ      液体受溝
Ａ           パウチ
Ｂ           詰め替え容器
Ｂ−１      ボトル
Ｂ−２      ボトル口元部    
Ｂ−３      ボトル口
Ｂ−４      チューブ
Ｂ−５      装置部
Ｂ−６      キャップ
Ｂ−７      ポンプ首部
Ｂ−８      ポンプヘッド
Ｂ−９      噴出口
１１         漏斗
１２−ａ     ボトル挿入部
１２−ｂ     チューブ受部
１３−ａ     ボトル固定補助部    
１３−ｂ     ボトル固定補助部        
１４          ポンプ係止部
１５          ポンプ覆い
１５−ａ    ポンプ覆い部
１５−ｂ     ポンプ受部
１６−ａ     落下溝
１６−ｂ     落下溝
１６−ｃ     液体落下防止壁
１７          落下口
１８−ａ     取っ手部
１８−ｂ     パウチ受け
１８−ｃ     本体
１８−ｄ     挿入口
１９−ａ     液体受
１９−ｂ     部品
１９−ｃ     部品
１９−ｄ     部品
１９−ｅ     部品    
１９−ｆ      部品  
１９−ｇ１   部品  
１９−ｇ２   部品  
１９−ｈ     部品  
１９−ｉ       部品  
１９−ｊ       部品  
１９−ｋ      部品  
１９−ｌ       部品  
１９−m      部品  
１９−ｎ      部品  
１９−ｏ      部品  
Ａ−１０     パウチ
Ａ−１１     パウチ
【要約】
【課題】詰替えに使用する漏斗を容器のポンプ挿入口に挿入するために容器から引き抜いたポンプに付着したシャンプー、リンスなどが浴室の床に落下するのを防止できる漏斗を開発すること。
【解決手段】本発明の漏斗は、落下口７をその下部に設けた、パウチ受け８と、パウチ受け８の下方に連結したポンプ覆い部５−ａと、そのポンプ覆い部５−ａの下方に設けたボトル挿入部２−ａと、からなるポンプ覆い５と、ポンプ覆い部５−ａの内部に設けた、ポンプ受部５−ｂと、ポンプ受部５−ｂに連結し、ボトル挿入部の内部に設けた、チューブ受部２−ｂと、からなり、ポンプ覆い５の内壁と、ポンプ受部５−ｂとチューブ受部２−ｂの外壁との間に形成される空間を詰替液を落下させるための落下溝６−ａ、落下溝６−ｂとし、落下口７に連結したことにより詰替え容器に注入される液体の浴槽の床への落下を防止することが可能となる。
【選択図】図１【図１】
0005837709.tif 000002
【図２】
0005837709.tif 000003
【図３】
0005837709.tif 000004
【図４】
0005837709.tif 000005
【図５】
0005837709.tif 000006
【図６】
0005837709.tif 000007
【図７】
0005837709.tif 000008
【図８】
0005837709.tif 000009
【図９】
0005837709.tif 000010
【図１０】
0005837709.tif 000011